(57)【要約】  【課題】  スピーカーの振動が表示装置本体側に伝わらないようにして、表示画面の品位の低下を防止する。  【解決手段】  サイドスピーカーユニット３の側面に突設された板金製のブラケット金具５の基端寄り前面側の上下２箇所の位置で前方に樹脂製の嵌合凸部８を突設し、これに対応して表示装置本体２の後キャビンネット６に嵌合凹部９を形成する。この嵌合凸部８およびブラケット金具５と嵌合凹部９を貫通して後ビス孔１１と前ビス孔１２を形成し、後ビス孔１１側から段付ビス１７を挿通する。嵌合凹部９の前方には、前キャビンネット１３にナット金具１６をビス止めし、その雌ねじ孔１６ａに、段付ビス１７の雄ねじ部１７ａを螺着する。同時に、段付ビス１７の頭部１７ｃとブラケット金具５の後面との間には、ゴム製の防振リング１８を挟着する。【選択図】  図２
2005275355.tif 000002
【特許請求の範囲】
【請求項１】
スピーカーユニットに突設されたブラケット金具を介してスピーカーユニットを表示装置本体にビス止めにより取り付ける薄型表示装置において、前記ブラケット金具を固定する金具と表示デバイスを固定するフレームとは、前記薄型表示装置のキャビネットの異なる部位にそれぞれ固定されることを特徴とする薄型表示装置。
【請求項２】
スピーカーユニットに突設されたブラケット金具を介してスピーカーユニットを表示装置本体にビス止めにより取り付ける薄型表示装置において、
ビスの頭部とブラケット金具との間にゴム製の防振リングを挟着したことを特徴とする薄型表示装置。
【請求項３】
スピーカーユニットの側面の表示装置本体側に突設された板金製のブラケット金具と、
該ブラケット金具の先端前面側に形成されて表示装置本体の後キャビネット表面に当接される当接面と、
前記ブラケット金具の基端寄り前面側の少なくとも２箇所の位置で前方に突設された樹脂製の嵌合凸部と、
該嵌合凸部の中心部に前記ブラケット金具をも貫通して前後方向に穿設された後ビス孔と、
表示装置本体の後キャビンネットの端部の前記嵌合凸部に対応する位置に形成されて前記嵌合凸部が嵌合される嵌合凹部と、
該嵌合凹部の中心部に前後方向に穿設された前ビス孔と、
該前ビス孔の前方に配設されるとともに表示装置本体の前キャビンネットまたは後キャビンネットに支持されて前記前ビス孔に対応する位置に雌ねじ孔が形成されたナット金具と、
雄ねじ部の後端に大径部を有する段付ビスであって、前記ブラケット金具の後面から前記後ビス孔および前記前ビス孔に挿入され先端雄ねじ部が前記ナット金具の雌ねじ孔に螺着された段付ビスと、
該段付ビスの頭部と前記ブラケット金具の後面との間に挟着されたゴム製の防振リングと、
前記ブラケット金具の当接面と表示装置本体の後キャビネット表面との間に挟着されたゴム製の防振スペーサーと、
を備えたことを特徴とする薄型表示装置。
【請求項４】
請求項２または３に記載の薄型表示装置において、
前記防振リングは前記ビスまたは前記段付ビスの頭部の下面に貼着したことを特徴とする薄型表示装置。
【請求項５】
請求項２または３に記載の薄型表示装置において、
前記ビスまたは前記段付ビスの頭部と前記防振リングとの間に、ビスの軸方向に位置調節が可能な位置調節手段を介して、前面が前記防振リングに当接する調整盤を装着して前記防振リングの圧縮量を調節可能にしたことを特徴とする薄型表示装置。
【請求項６】
請求項２または３に記載の薄型表示装置において、
前記ビスまたは前記段付ビスの頭部直近の首下部に螺刻された雄ねじ部と、
該雄ねじ部の外側に挿嵌されたスプリングワッシャと、
該スプリングワッシャの前方で前記雄ねじ部に螺合されるとともに、前面に前記防振リングに当接する当接面が形成された調整ナットと、
を備え、前記調整ナットを回転することで前記防振リングの圧縮量を調節可能にしたことを特徴とする薄型表示装置。
【請求項７】
請求項３乃至６のいずれかに記載の薄型表示装置において、
前記防振スペーサーは前記ブラケット金具の当接面に貼着したことを特徴とする薄型表示装置。
【請求項８】
請求項１乃至７のいずれかに記載の薄型表示装置において、
前記ブラケット金具の後面にブラケットカバーを取り付けたことを特徴とする薄型表示装置。
【発明の詳細な説明】
【技術分野】
【０００１】
本発明は、液晶テレビ等の薄型表示装置に関し、詳しくは、左右上下の部位にスピーカーユニットがとりつけられる薄型表示装置に関する。
【背景技術】
【０００２】
近年、液晶テレビやＰＤＰテレビ等の薄型表示装置は、画面が大型化される傾向にある。画面の大型化とともに、音声の出力も増大されている。スピーカーが大型化され、大出力となると、スピーカーの振動がテレビ本体へ伝わり、特に薄型表示デバイスに伝達された場合には、振動の程度や振動周波数によっては表示品位を劣化させる場合がある。そのため、大画面の薄型テレビでは、スピーカーを、テレビ本体と分離した構造として、画面の両側や、画面の下側に配置することが行われてきた。
なお、従来、スピーカーをテレビ本体の左右に配置したものとして特許文献１に記載の「テレビ受像機」が知られている。
【特許文献１】特開平０６−０７０２６９号公報
【発明の開示】
【発明が解決しようとする課題】
【０００３】
これら大画面の薄型テレビでは、単体構造となったスピーカーユニットとテレビ本体との連結部の構造として、必要な強度が得られるとともに、組立工程での作業が容易であること、さらにはスピーカーユニットの振動がテレビ本体に伝わらないことが必要であった。そこで、本発明は、スピーカーユニットの振動がテレビ本体に伝わりづらい連結構造を有する薄型表示装置を提供することを目的とした。
【課題を解決するための手段】
【０００４】
上記課題を解決するために、本発明は、スピーカーユニットに突設されたブラケット金具を介してスピーカーユニットを表示装置本体にビス止めにより取り付ける薄型表示装置において、前記ブラケット金具を固定する金具と表示デバイスを固定するフレームとは、前記薄型表示装置のキャビネットの異なる部位にそれぞれ固定されることを特徴とする。
【０００５】
また、本発明は、スピーカーユニットに突設されたブラケット金具を介してスピーカーユニットを表示装置本体にビス止めにより取り付ける薄型表示装置において、ビスの頭部とブラケット金具との間にゴム製の防振リングを挟着したことを特徴とする。
【０００６】
また、本発明は、スピーカーユニットの側面の表示装置本体側に突設された板金製のブラケット金具と、該ブラケット金具の先端前面側に形成されて表示装置本体の後キャビネット表面に当接される当接面と、前記ブラケット金具の基端寄り前面側の少なくとも２箇所の位置で前方に突設された樹脂製の嵌合凸部と、該嵌合凸部の中心部に前記ブラケット金具をも貫通して前後方向に穿設された後ビス孔と、表示装置本体の後キャビンネットの端部の前記嵌合凸部に対応する位置に形成されて前記嵌合凸部が嵌合される嵌合凹部と、  該嵌合凹部の中心部に前後方向に穿設された前ビス孔と、 該前ビス孔の前方に配設されるとともに表示装置本体の前キャビンネットまたは後キャビンネットに支持されて前記前ビス孔に対応する位置に雌ねじ孔が形成されたナット金具と、雄ねじ部の後端に大径部を有する段付ビスであって、前記ブラケット金具の後面から前記後ビス孔および前記前ビス孔に挿入され先端雄ねじ部が前記ナット金具の雌ねじ孔に螺着された段付ビスと、該段付ビスの頭部と前記ブラケット金具の後面との間に挟着されたゴム製の防振リングと、前記ブラケット金具の当接面と表示装置本体の後キャビネット表面との間に挟着されたゴム製の防振スペーサーとを備えたことを特徴とする。
【０００７】
ここで、前記防振リングは前記ビスまたは前記段付ビスの頭部の下面に貼着することが可能である。さらには、前記ビスまたは前記段付ビスの頭部と前記防振リングとの間に、ビスの軸方向に位置調節が可能な位置調節手段を介して、前面が前記防振リングに当接する調整盤を装着して前記防振リングの圧縮量を調節可能にすることもできる。
【０００８】
また、前記ビスまたは前記段付ビスの頭部直近の首下部に螺刻された雄ねじ部と、該雄ねじ部の外側に挿嵌されたスプリングワッシャと、該スプリングワッシャの前方で前記雄ねじ部に螺合されるとともに、前面に前記防振リングに当接する当接面が形成された調整ナットとを備え、前記調整ナットを回転することで前記防振リングの圧縮量を調節可能にすることもできる。
【０００９】
さらには、前記防振スペーサーは前記ブラケット金具の当接面に貼着することも可能であり、
前記ブラケット金具の後面にブラケットカバーを取り付けることも可能である。
【発明の効果】
【００１０】
以上述べたように本発明によれば、スピーカーユニットに突設されたブラケット金具を表示装置本体にビス止めする際に、薄型表示装置本体のキャビネットにブラケット金具取付け用のナット金具を設けてスピーカーユニットを取り付け、前記キャビネットの別の部位で表示デバイス固定フレームを固定することにより、前記ブラケット金具が薄型表示デバイスを固定する表示デバイス固定フレームと直接接続されないことで、スピーカーから発生した振動が表示デバイスに伝わり難くさせるとともに、薄型表示装置本体へのスピーカーユニット取り付け強度を維持しつつ取り付けることが可能となる。
【００１１】
さらに、ブラケット金具取付け用ビスの頭部とブラケット金具との間にゴム製の防振リングを挟着したことで、スピーカーから発生した振動が表示デバイスに伝わり難くなり、スピーカー振動が大きい場合でも表示画面の表示品位を損ねることが無い。
また、防振リングの圧縮量も調節可能にしたことで、ビス取付部の寸法にバラツキがあっても、常に、振動を吸収するに最適な圧縮量に調節可能となる。
【発明を実施するための最良の形態】
【００１２】
以下、図に基づいて本発明の実施形態を説明する。
図１は本発明を大型画面のサイドスピーカー型液晶テレビに適用した場合の外観図であり、図（ａ）は正面図であり、図（ｂ）は平面図であり、図（ｃ）は左側面図である。図示されるように、スタンド１に支持された液晶テレビ本体２の左右端部にはサイドスピーカーユニット３，４が取り付けられている。図２は図１の左側のサイドスピーカーユニット３の取り付け部分を示す横断面図であり、図３は図２の斜視図である。図４および図５はサイドスピーカーユニット３の取り付け前の単体の状態を示す斜視図である。
【００１３】
図２および図３に示されるように、サイドスピーカーユニット３の右側の側面には、板金製のブラケット金具５がビス止めにより一体的に取り付けられている。ブラケット金具５の先端側の前面は、液晶テレビ本体２の後キャビネット６左端の斜め前方に傾斜した面に当接されている。この当接面には上下２箇所にゴム製の防振スペーサー１０が貼着されており、当接面は防振スペーサー１０を介して後キャビネット６に支持される。この当接面よりもブラケット金具５の基端側の前面には、樹脂により肉盛りされた嵌合部７が形成されている。嵌合部７は図示していないがビス止めによりブラケット金具５に固定されている。嵌合部７の上下２箇所が前方に円柱状に突出して嵌合凸部８が形成されている。嵌合凸部８は、この形状に対応して後キャビネット６に形成されている嵌合凹部９に着脱自在に嵌合されている。
【００１４】
嵌合凸部８の中心部分には、ブラケット金具５をも貫通して前後方向に後ビス孔１１が形成されている。同様に、後キャビネット６の嵌合凹部９の中心部には、後ビス孔１１と連続して前後方向に前ビス孔１２が貫通して形成されている。前ビス孔１２の前方であって前キャビネット１３の空間部分には、図６に示すナット金具１６が装着される。このナット金具１６は、雌ねじ穴１６ａがボス部分１６ｅに形成され、段付ビス１７に取り付けたときの締結力を増大することができる。図中の１６ｂ〜１６ｄは、ナット金具１６を前キャビネット１３にビス止めにより固定するときの取り付け孔である。
【００１５】
液晶パネル２０は、その外周部が液晶パネル固定下フレーム２３と液晶パネル固定上フレーム２４に挟持されている。液晶パネル２０の背面には液晶パネル固定用下フレーム２３からの突起により位置決めされて複数の光学シート２６が配置されている。これら上下固定フレーム２３，２４にはランプシールド板２５が取り付けられ図示しない蛍光管と共にバックライトが構成され、この液晶パネル２０／上下固定フレーム２３，２４／光学シート２６／ランプシールド板２５からなる液晶パネルユニットは前キャビネット１３に固定される。このように、液晶パネル２０を固定する上下固定フレーム２３，２４とブラケット金具５を固定するナット金具１６は、前キャビネット１３の異なる部位にそれぞれ固定されることで、スピーカーからの振動は金具を通して直接液晶パネル２０に伝わることは無く、樹脂製の前キャビネット１３で緩衝されることになり、表示画面の表示品位が損なわれることがなくなり、スピーカーの出力増大にも対応可能となる。
【００１６】
ブラケット金具５の後面からは、後ビス孔１１に、図７に示される段付ビス１７が挿入される。段付ビス１７は、先端の雄ねじ部１７ａの後部に大径部１７ｂが形成され、この大径部１７ｂにゴム製の防振リング１８が挿入されて、頭部１７ｃの下面に接着されている。後ビス孔１１に挿入された段付ビス１７は、先端の雄ねじ部１７ａが嵌合凹部９の前ビス孔１２を通過して、ナット金具１６の雌ねじ孔１６ａを介しボス部分１６ｅに螺着されることで、ブラケット金具５が後キャビネット６を挟持し前キャビネット１３に固定される。
【００１７】
このとき、段付ビス１７の雄ねじ部１７ａはその根元までナット金具１６に螺着されるとともに、防振リング１８は頭部１７ｃによりその厚み方向に圧縮された状態となる。図２および図３では、ブラケット金具５の下部分を段付ビス１７により取り付けたことを示しているが、図４に示されるように、ブラケット金具５の上部分も同様な構造により段付ビス１７により後キャビネット６を挟持し前キャビネット１３に固定される。段付ビス１７により後キャビネット６に取り付けられたブラケット金具５の後側表面には、図５に示されるように樹脂製のブラケットカバー１９がビス止めされる。
【００１８】
なお、図８は上述したナット金具１６と同様の機能を有する板ナット２１を示し、特に大きな締結力を必要としないスピーカーユニットを取り付ける際に使用される。図中の２１ａは段付ビス１７が螺着される雌ねじ穴で、２１ｂ〜２１ｄは、板ナット２１を前キャビネット１３にビス止めにより固定するときの取り付け孔である。
【００１９】
ところで、図２のように、ブラケット金具５を前キャビネット１３および後キャビネット６に段付ビス１７を用いて締結するとともに、段付ビス１７の頭部１７ｃとブラケット金具５との間にゴム製の防振リング１８を挟圧した場合に、防振リング１８はその厚み方向に圧縮された状態となる。このとき、防振リング１８の圧縮量は、スピーカーユニットからの振動を吸収することができる適度な圧縮量であることが好ましい。その圧縮量は、解析計算や実験値により求められて、防振リング１８を形成するゴム材の硬度や防振リング１８の断面寸法、段付ビス１７の首下寸法が決定される。
【００２０】
しかしながら、上述したように、最適な防振効果が得られる防振リング１８の寸法や段付ビス１７の首下寸法が決定されても、実際の組立ラインでは、組立後に防振リング１８に予定した圧縮量の値が得られず、圧縮量が過大であったり、不足であったりすることが生じた。これは、段付ビス１７が挿通される前キャビネット１３および後キャビネット６が成形品でありかつ偏平であってその端部にビス孔が形成されている等のために、それらが複合されて、ブラケット金具５の後ビス孔１１に対するナット金具１６の前後方向の位置にバラツキが発生しているためであった。
【００２１】
そこで、本発明では、防振リングを介してブラケット金具５を押圧する段付ビスの頭部のブラケット金具５からの突出量のバラツキを解消するため、段付ビスの頭部直近の首下部分に雄ねじ部を形成し、そこへ調整ナットを螺合して、防振リングの圧縮量を調整可能にした。図９は圧縮量調整機能を備えた段付ビスの取付状態を示す断面図である。図示されるように、ブラケット金具５を押圧保持する段付ビス２７は、調整ナット２９およびスプリングワッシャ３０を挿通する分、首下部分が長く形成され、その頭部２７ｃ直近に雄ねじ部が形成されている。
【００２２】
段付ビス２７をブラケット金具５に組み付ける際は、最初に、首下部分に、スプリングワッシャ３０を挿通してから、調整ナット２９を螺着し、スプリングワッシャ３０を圧縮して可能な限り頭部２７ｃの近くまで螺入させておく。次いで、防振リング２８を挿通してから、ブラケット金具５に挿入して、後ビス孔１１、前ビス孔１２を通過させて段付ビス２７の先端をナット金具１６に螺着させる。このとき、段付ビス２７の頭部２７ｃ側の調整ナット２９は、頭部２７ｃ寄りに位置しているため、調整ナット２９と防振リング２８は離間して、その間に隙間が形成されている状態である。
【００２３】
ここで、防振リング２８よりも大径に形成されている調整ナット２９とブラケット金具５の上面との間に、所定厚さの調整スペーサー３１を挿入してから、調整ナット２９を回転させて下降させ、防振リング２８を圧縮する。調整ナット２９は、調整スペーサー３１に当接したところで、下降が停止され、防振リング２８は目的の圧縮量に圧縮される。すなわち、調整スペーサー３１の厚みは、防振リング２８を最適な厚みに圧縮した状態と等しい厚みに予め設定されている。このように、段付ビス２７の頭部２７ｃ側に圧縮量調整機能を備えたことで、段付ビス２７の取付部に寸法バラツキがある場合でも、防振リング２８は所定の防振効果が得られる最適な圧縮量に調整されることが可能となる。
【００２４】
なお、図９の実施例では、防振リング２８の圧縮量を調節するために、調整ナット２９を用いたが、調整ナット２９の代わりに、厚みの異なる円盤状のスペーサーを複数種類用意しておいて、段付ビスの頭部と防振リング２８の間に最適な厚さのスペーサーを選択して挿入することも可能である。この場合は、組立のロットごとに、段付ビスの取付部の寸法バラツキに同一傾向がある場合に、有効な方法であり、段付ビスの挿入前に、スペーサーを挿通しておくことが可能となる。
【００２５】
このようにして、サイドスピーカーユニット３がブラケット金具５を介して液晶テレビ本体２の後キャビネット６を挟持し前キャビネット１３に固定されることで、サイドスピーカーユニット３から前後方向の振動が発生すると、ブラケット金具５と段付ビス１７，２７の頭部１７ｃ，２７ｃとの間に挟着されている防振リング１８，２８により吸収される。同様に、ブラケット金具５の先端部の当接面と後キャビネット６間にも防振スペーサー１０が挟着されているため、ブラケット金具５の振動は防振スペーサー１０に吸収されてから、後キャビネット６に伝えられ減衰する。なお、ブラケット金具５の振動は防振スペーサー１０に吸収されるが、その一部は、段付ビス１７，２７を介してナット金具１６にも伝わる。
【００２６】
しかしナット金具１６は前キャビネット１３上において液晶パネル２０を固定する上下固定フレーム２３，２４とは異なる部位に固定されることで、スピーカーからの振動は金具を通して直接液晶パネル２０に伝わることは無く、樹脂製の前キャビネット１３で緩衝されることになる。その結果、前キャビネット１３に支持されている液晶パネル２０は、サイドスピーカーユニット３から伝わってくる振動が少なくなり、表示画面の表示品位が損なわれることがなくなり、スピーカーの出力増大にも対応可能となる。なお、図示例では、左側のサイドスピーカーユニット３と液晶テレビ本体２との接続について述べたが、右側のサイドスピーカーユニット４と液晶テレビ本体２との接続についても全く同一である。
【産業上の利用可能性】
【００２７】
本発明は、サイドスピーカー型の薄型表示装置以外にアンダースピーカー型の薄型表示装置にも利用可能である。
【図面の簡単な説明】
【００２８】
【図１】本発明を大型画面のサイドスピーカー型液晶テレビに適用した場合の外観図であり、図（ａ）は正面図、図（ｂ）は平面図、図（ｃ）は左側面図である。
【図２】図１の左側のサイドスピーカーユニットの取り付け部分を示す横断面図である。
【図３】図２の斜視図である。
【図４】サイドスピーカーユニットの取り付け前の単体の状態を示す斜視図である。
【図５】サイドスピーカーユニットの取り付け前の単体の状態を示す斜視図である。
【図６】図２および図３に示されたナット金具の外観図である。
【図７】図２および図３に示された段付ビスの斜視図である。
【図８】板ナットの斜視図である。
【図９】サイドスピーカーユニットの取り付け部分の他の実施形態を示す横断面図である。
【符号の説明】
【００２９】
１  スタンド
２  液晶テレビ本体
３，４  サイドスピーカーユニット
５  ブラケット金具
６  後キャビネット
７  嵌合部
８  嵌合凸部
９  嵌合凹部
１０  防振スペーサー
１１  後ビス孔
１２  前ビス孔
１３  前キャビネット
１６  ナット金具
１７  段付ビス
１７ａ  雄ねじ部
１７ｂ  大径部
１７ｃ  頭部
１８  防振リング
１９  ブラケットカバー
２０  液晶パネル
２１  板ナット
２３  液晶パネル固定下フレーム
２４  液晶パネル固定上フレーム
２５  ランプシールド板
２６  光学シート類
２７  段付ビス
２７ｃ 
頭部
２８  防振リング
２９  調整ナット
３０  スプリングワッシャ
３１  調整スペーサー
【図１】
2005275355.tif 000003
【図２】
2005275355.tif 000004
【図３】
2005275355.tif 000005
【図４】
2005275355.tif 000006
【図５】
2005275355.tif 000007
【図６】
2005275355.tif 000008
【図７】
2005275355.tif 000009
【図８】
2005275355.tif 000010
【図９】
2005275355.tif 000011